(57)【要約】【課題】  音声情報の安定した検出が可能であり、装用感がよく、更には美容上の問題も解消する骨導マイクロフォン保持構造を提供する。【解決手段】  音声情報を人体から検出する骨導マイクロフォン１をケース２内部に収容する骨導マイクロフォン保持構造であって、骨導マイクロフォン１は、ジンバル機構により、ケース２内部において直交する２軸回りに揺動可能に支持されており、ケース２の開口部に吸盤４が設けられている。【選択図】  図１
2005348089.tif 000002
【特許請求の範囲】
【請求項１】
音声情報を人体から検出する骨導マイクロフォンをケース内部に収容する骨導マイクロフォン保持構造であって、
前記骨導マイクロフォンは、ジンバル機構により、前記ケース内部において直交する２軸回りに揺動可能に支持されており、
前記ケースの開口部に吸盤が設けられた骨導マイクロフォン保持構造。
【請求項２】
前記ケースの底部に連通孔が形成され、該連通孔に接続された内部空間を有する弾性変形可能な袋状体が設けられた請求項１に記載の骨導マイクロフォン保持構造。
【請求項３】
前記ケースに対して伸縮自在且つ回転自在に設けられたフック状の係止具を更に備える請求項１又は２に記載の骨導マイクロフォン保持構造。
【発明の詳細な説明】
【技術分野】
【０００１】
本発明は、骨導マイクロフォン保持構造に関し、より詳しくは、音声情報を人体から検出する骨導マイクロフォンをケース内部に収容する骨導マイクロフォン保持構造に関する。
【背景技術】
【０００２】
使用者が発声する音声情報を検出する装置として、声帯振動に伴う骨の振動をピックアップする骨導マイクロフォンが知られている。骨導マイクロフォンを人体の所定部位に保持するための構造として、例えば、特許文献１に開示されたものが知られている。
【０００３】
この骨導マイクロフォン保持構造は、図３に示すように、クッション材が被覆されたヘッドパット５０の後端に骨導マイクロフォン５１が取り付けられており、後頭部に装着可能なヘッドバンド５２の弾力により、骨導マイクロフォン５１が耳殻の後側の側頭部に当接するように構成されている。尚、ヘッドパット５０の前端には骨導スピーカ５３が取り付けられており、骨導スピーカ５３は、耳殻の前側の側頭部に当接する。
【特許文献１】特開平１１−３３１９７０号公報（第４図）
【発明の開示】
【発明が解決しようとする課題】
【０００４】
骨導マイクロフォンが人体に当接する部位は、上記特許文献１においては乳様突起（又はその近傍）であり、その他に、顎や喉，頸部などの場合もあるが、いずれも表面形状が複雑であるため、骨導マイクロフォンの当接面の向きが取付部位の形状に追従しないことがあった。このため、装用感だけでなく、音声情報の検出精度や振動エネルギーの伝達効率について更に改良の余地があった。特に、骨導型のマイクロフォンの場合には、当接位置が僅かにずれるだけで上記検出精度や伝達効率が大きく変化するため、人体への骨導マイクロフォンの取り付けを安定化させることに対するニーズは高いと考えられる。また、骨導マイクロフォンを取り付けるためのヘッドバンドが人目に付きやすく、美容上の観点からも改善が求められていた。
【０００５】
本発明は、これらの点に鑑みなされたものであって、音声情報の安定した検出が可能であり、装用感がよく、更には美容上の問題も解消する骨導マイクロフォン保持構造の提供を目的とする。
【課題を解決するための手段】
【０００６】
本発明の前記目的は、音声情報を人体から検出する骨導マイクロフォンをケース内部に収容する骨導マイクロフォン保持構造であって、前記骨導マイクロフォンは、ジンバル機構により、前記ケース内部において直交する２軸回りに揺動可能に支持されており、前記ケースの開口部に吸盤が設けられた骨導マイクロフォン保持構造により達成される。
【０００７】
この骨導マイクロフォン保持構造は、前記ケースの底部に連通孔が形成され、且つ、該連通孔に接続された内部空間を有する弾性変形可能な袋状体が設けられていることが好ましい。
【０００８】
また、前記ケースに対して伸縮自在且つ回転自在に設けられたフック状の係止具を更に備えることができる。
【発明の効果】
【０００９】
本発明によれば、音声情報の安定した伝達が可能であり、装用感がよく、更には美容上の問題も解消する骨導マイクロフォン保持構造を提供することができる。
【発明を実施するための最良の形態】
【００１０】
以下、本発明の実態形態について添付図面を参照して説明する。図１は、本発明の一実施形態に係る骨導マイクロフォン保持構造を示す断面図である。
【００１１】
図１において、円筒状のケース２の内部には骨導マイクロフォン１が収容されており、ケース２の開口縁に吸盤４が取り付けられている。骨導マイクロフォン１は、ジンバル機構により、互いに直交する２軸の回りに揺動可能に支持されている。即ち、骨導マイクロフォン１は、ピックアップ部を露出させるように第１の枠体１０に固定されており、第１の枠体１０は、第１の支持軸１２を介して第２の枠体１４に揺動自在に支持されている。そして、第２の枠体１４は、第１の支持軸１２と直交する第２の支持軸１６を介してケース２の内部に揺動自在に支持されている。骨導マイクロフォン１のピックアップ部は、ケース２の開口からわずかに突出しており、吸盤４を所定の取付部位に吸着させると、骨導マイクロフォン１のピックアップ部が被吸着面に密着するように構成されている。
【００１２】
また、ケース２の底部（図の上部）中央には連通孔２ａが形成されており、この連通孔２ａに球状の袋状体２０が結合されている。袋状体２０はゴム材などの弾性材からなり、押圧により弾性変形可能に構成されている。袋状体２０の内部空間は、連通孔２ａを介してケース２の内部と連通している。
【００１３】
このような骨導マイクロフォン保持構造によれば、袋状体２０を手で摘んだ状態で人体の所定の取付部位（例えば、顎や喉，頸部，乳様突起など）に吸盤４を押し付けると、骨導マイクロフォン１のピックアップ部が人体に当接する。骨導マイクロフォン１は、ジンバル機構により２軸回りに揺動可能に支持されているので、取付部位の表面が複雑な３次元曲面であっても、骨導マイクロフォン１をこの曲面に適合した姿勢にすることができ、ピックアップ部の全体を人体に確実に接触させることができる。この後、摘んでいた手を離すと、袋状体２０の形状復元力によりケース２の内部が負圧になって吸着力が得られるので、吸盤４による骨導マイクロフォン１の取り付けを確実に行うことができ、骨導マイクロフォン１の経時的な位置ずれや姿勢の変化を確実に防止することができる。
【００１４】
この結果、良好な装用感が得られるだけでなく、音声情報の検出精度が向上し、更には振動エネルギーの伝達効率向上を図ることができる。また、小型化が可能であると共に、従来のように骨導マイクロフォンを取り付けるためのバンドが不要になるので、美容上の問題も解消することができる。
【００１５】
骨導マイクロフォン１を取り外す際には、袋状体２０を手で摘むことにより、ケース２内部の負圧が低下し、吸盤４を容易に取り外すことができる。
【００１６】
以上、本発明の一実施形態について詳述したが、例えば、骨導マイクロフォンを乳様突起に取り付ける場合には、図２に示すように、フック状の係止具３０をケース２の外面に設け、この係止具３０を耳の後ろに掛けることにより、美容上の問題を生じさせることなく、骨導マイクロフォン１の取り付けをより確実に行うことができる。係止具３０は、ゴム材やバネなどからなる伸縮部３０ａおよびケース２と螺合するネジ部３０ｂを備えることにより、ケース２に対して伸縮自在で且つ回転自在に構成されており、これによって、装用感や取付安定性に個人差が生じるのを防止することができる。尚、図示していないが、耳穴に挿入されるイヤホン状の取付部を係止具３０の先端に設けてもよい。
【図面の簡単な説明】
【００１７】
【図１】本発明の一実施形態に係る骨導マイクロフォン保持構造を示す断面図である。
【図２】本発明の他の実施形態に係る骨導マイクロフォン保持構造を示す側面図である。
【図３】従来の骨導マイクロフォン保持構造を示す要部斜視図である。
【符号の説明】
【００１８】
１  骨導マイクロフォン
２  ケース
２ａ  連通孔
４  吸盤
１０  第１の枠体
１２  第１の支持軸
１４  第２の枠体
１６  第２の支持軸
２０  袋状体
３０  係止具
【図１】
2005348089.tif 000003
【図２】
2005348089.tif 000004
【図３】
2005348089.tif 000005